(57)【特許請求の範囲】
【請求項１】
表示部と、
前記表示部の前面側に配置された入力部と、
前記入力部に配置された振動体と、
前記振動体に接続されており、前記表示部の背面側に折り曲げられたフレキシブル基板と、を備え、
前記入力部は、前記フレキシブル基板の一部と対向する部位に、第１遮光膜および第２遮光膜が設けられており、
前記振動体の表面に第３遮光膜が設けられている、入力機能付き表示装置。
【請求項２】
前記表示部と前記入力部とは、第１空間を介して対向して配置されており、
前記入力部は、前記第１空間に位置する前記フレキシブル基板と対向する部位に、前記第１遮光膜および前記第２遮光膜が設けられている、請求項１に記載の入力機能付き表示装置。
【請求項３】
前記表示部が収容された筐体をさらに備え、
前記フレキシブル基板は、前記表示部と前記筐体との間の第２空間を介して、前記表示部の背面側に折り曲げられており、
前記入力部は、前記第２空間に位置する前記フレキシブル基板と対向する部位に、前記第１遮光膜および前記第２遮光膜が設けられている、請求項１または２に記載の入力機能付き表示装置。
【請求項４】
前記入力部は、前記振動体と対向する部位に、前記第１遮光膜および前記第２遮光膜が設けられている、請求項１〜３のいずれか一項に記載の入力機能付き表示装置。
【請求項５】
前記第１遮光膜の透過率は、前記第２遮光膜の透過率よりも大きい、請求項１〜４のいずれか一項に記載の入力機能付き表示装置。
【請求項６】
前記フレキシブル基板の表面に第４遮光膜が設けられている、請求項１〜５のいずれか一項に記載の入力機能付き表示装置。
【請求項７】
請求項１〜６のいずれか一項に記載の入力機能付き表示装置を備えた電子機器。
【発明の詳細な説明】
【技術分野】
【０００１】
本発明は、入力機能付き表示装置、および電子機器に関する。
【背景技術】
【０００２】
近年、タッチパネル等の入力部を備えた入力機能付き表示装置において、使用者が入力部を操作した場合に、操作した使用者に対して、押圧感、なぞり感、肌触り感等の様々な触感を呈示する触覚伝達技術が知られている（例えば、特許文献１参照）。このような入力機能付き表示装置は、例えば、表示部と、表示部の前面側に配置された入力部と、入力部に設けられた振動体と、表示部の背面側に配置された照射部と、を備えている。ここで、照射部は、例えば、バックライトである。そして、振動体にはフレキシブル基板が接続されており、このフレキシブル基板は、照射部の背面側に折り曲げられている。
【先行技術文献】
【特許文献】
【０００３】
【特許文献１】特開２００３−１２２５０７号公報
【発明の概要】
【発明が解決しようとする課題】
【０００４】
上記の入力機能付き表示装置では、例えば、照射部から照射された光が、表示部を介して入力部へ出射されることになる。ここで、入力部には振動体が設けられている。このため、振動体に接続されたフレキシブル基板が、入力部を介して使用者に視認されてしまう可能性があった。
【０００５】
なお、上記の課題は、触覚伝達技術以外の、例えば、入力部を振動させて骨伝導（軟骨伝導も含む）により音を聴くことができる骨伝導技術であっても、同様である。
【０００６】
本発明は、上記の問題点に鑑みてなされたものであり、その目的は、振動体に接続されたフレキシブル基板が使用者に視認されてしまう可能性を低減することができる入力機能付き表示装置、および電子機器に関する。
【課題を解決するための手段】
【０００７】
本発明の入力機能付き表示装置における一態様は、表示部と、前記表示部の前面側に配置された入力部と、前記入力部に配置された振動体と、前記振動体に接続されており、前記表示部の背面側に折り曲げられたフレキシブル基板と、を備え、前記入力部は、前記フレキシブル基板の一部と対向する部位に、第１遮光膜および第２遮光膜が設けられており、前記振動体の表面に第３遮光膜が設けられている。
【０００８】
本発明の電子機器における一態様は、本発明に係る入力機能付き表示装置を備える。
【発明の効果】
【０００９】
本発明の入力機能付き表示装置、および電子機器は、振動体に接続されたフレキシブル基板が使用者に視認されてしまう可能性を低減することができる、という効果を奏する。
【図面の簡単な説明】
【００１０】
【図１】本実施形態に係る入力機能付き表示装置の概略構成を示す平面図である。
【図２】図１中に示した切断線Ｉ−Ｉに沿って切断した断面図である。
【図３】図１中に示した切断線Ｉ−Ｉに沿って切断した断面図であって、下側筐体の上面に第２光源が設けられた態様を示す図である。
【図４】上記の入力機能付き表示装置の動作例を示すフローチャートである。
【図５】本実施形態に係る携帯端末の概略構成を示す斜視図である。
【発明を実施するための形態】
【００１１】
以下、本発明の実施形態について、図面を参照しながら説明する。
【００１２】
但し、以下で参照する各図は、説明の便宜上、本発明の一実施形態の構成部材のうち、本発明を説明するために必要な主要部材を簡略化して示したものである。したがって、本発明に係る入力機能付き表示装置、および電子機器は、本明細書が参照する各図に示されていない任意の構成部材を備え得る。
【００１３】
図１に示すように、本実施形態に係る入力機能付き表示装置Ｘ１は、所望の画像を表示しかつ情報を入力することが可能な表示入力領域ＥＩと、表示入力領域ＥＩの外側に位置する外側領域ＥＯとを有している。すなわち、本実施形態に係る外側領域ＥＯは、表示入力領域ＥＩを取り囲むように位置している。
【００１４】
また、図１および図２に示すように、入力機能付き表示装置Ｘ１は、液晶パネル２、バックライト３、タッチパネル４、振動体５、配線基板６、および第１筐体７を備えている。
【００１５】
液晶パネル２は、表示のために液晶組成物を利用した表示パネルである。具体的には、液晶パネル２は、上側基板２１と、上側基板２１よりも外側に張り出しかつ上側基板２１に対向して配置される下側基板２２と、上側基板２１と下側基板２２との間に介在した液晶層（図示せず）と、上側基板２１と下側基板２２との間に介在しかつ表示に寄与する表示部材層（図示せず）と、を備えている。なお、表示部材層としては、例えば、画素電極、配向膜、カラーフィルタ等が挙げられる。液晶パネル２の駆動方式としては、単純マトリクス駆動方式であってもよいし、アクティブマトリクス駆動方式であってもよい。また、液晶パネル２は、モノクロの表示パネルであってもよいし、カラーの表示パネルであってもよい。さらに、液晶パネル２は、透過型、半透過型、反射型のいずれであってもよい。
【００１６】
なお、液晶パネル２の代わりに、プラズマパネル、有機ＥＬパネル、電子ペーパ等の表示パネルを用いてもよい。ここで、有機ＥＬパネルは、電圧を印加すると発光する物質を利用した表示パネルである。具体的には、有機ＥＬパネルは、ジアミン類等の有機物を用いた発光体を基板に蒸着し、５〜１０Ｖの直流電圧を印加することで表示が行われる。なお、液晶パネル２の代わりに有機ＥＬパネルを用いた場合には、バックライト３は不要となる。また、液晶パネル２が反射型である場合も、バックライト３は不要となる。
【００１７】
バックライト３は、液晶パネル２の背面側に配置されており、液晶パネル２を照射する役割を有する。バックライト３は、第１光源３１および導光板３２を備えている。第１光源３１は、導光板３２の端面３２ａに向けて光を出射する役割を有しており、例えば、ＬＥＤ（Light Emitting Diode）から構成される。なお、第１光源３１として、ＬＥＤの代わりに、冷陰極蛍光ランプ、ハロゲンランプ、キセノンランプ、ＥＬを用いてもよい。第１光源３１は、導光板３２の端面３２ａに対向するように、後述する第２フレキシブル基板１２上に設けられている。導光板３２は、液晶パネル２における下側基板２２の下面全体にわたって、第１光源３１からの光を略均一に導くための役割を有する。
【００１８】
タッチパネル４は、液晶パネル２の前面側に配置されており、使用者が指あるいはペン等で操作した箇所を入力位置として検出する役割を有する。タッチパネル４は、第１主面
４ａ、および第１主面４ａの反対側に位置する第２主面４ｂを有している。すなわち、表示入力領域ＥＩに対応するタッチパネル４の第１主面４ａが、使用者により指あるいはペン等で直接操作される面となる。また、図２に示すように、タッチパネル４は、第１空間Ｓ１を介して液晶パネル２と対向して配置されている。ここで、第１空間Ｓ１は、液晶パネル２とタッチパネル４との間に存在する空間である。また、タッチパネル４は、液晶パネル２よりも外側に張り出して構成されている。このため、バックライト３からの光は、液晶パネル２を介して、タッチパネル４の略全面を照射することになる。
【００１９】
本実施形態では、タッチパネル４は、検出感度向上の観点から、静電容量方式のタッチパネルを用いているが、静電容量方式のタッチパネルに代えて、抵抗膜方式のタッチパネル、表面弾性波方式のタッチパネル、赤外線方式のタッチパネル、あるいは電磁誘導方式のタッチパネル等を用いてもよい。本実施形態では、タッチパネル４は、静電容量方式のタッチパネルであることから、基体と、基体上に設けられておりかつ入力位置を検出するための検出電極と、基体上に設けられておりかつ検出電極と電気的に接続された検出用配線と、を備えている。ここで、基体の構成材料としては、例えば、ガラスあるいはプラスチックが挙げられる。
【００２０】
なお、本明細書においてタッチパネル４は、タッチパネル４を保護する保護部材を含んだ状態のことであってもよいし、保護部材を含んでいない状態のことであってもよい。タッチパネル４として保護部材を含んだ状態である場合、タッチパネル４の第１主面４ａは、保護部材の上面を意味していてもよいし、保護部材を除いた状態でのタッチパネル４を構成する基体の上面を意味していてもよい。また、タッチパネル４の第２主面４ｂは、タッチパネル４を構成する基体の下面を意味していてもよいし、タッチパネル４を構成する基体の下面に設けられた絶縁膜の下面を意味していてもよい。
【００２１】
また、タッチパネル４には、第１遮光膜４１および第２遮光膜４２が設けられている。
【００２２】
第１遮光膜４１は、タッチパネル４の第１主面４ａおよび第２主面４ｂと交差する方向に入射する光を遮光する役割を有するとともに、入力機能付き表示装置Ｘ１の外側領域ＥＯを加飾する役割を有する。なお、本明細書において「遮光」とは、反射あるいは吸収によって可視光の一部または全部を遮蔽することを意味する。本実施形態では、第１遮光膜４１は、外側領域ＥＯの全部に対応するタッチパネル４の第１主面４ａ上に、枠状に設けられている。これにより、入力機能付き表示装置Ｘ１の外側領域ＥＯの全部を加飾することができる。
【００２３】
第１遮光層４１の構成材料としては、樹脂材料に着色材料を含んだものが挙げられる。樹脂材料としては、例えば、アクリル系樹脂、エポキシ系樹脂、あるいは二酸化ケイ素が挙げられる。着色材料としては、例えば、カーボン、チタン、あるいはクロムが挙げられる。なお、第１遮光層４１は、黒色に限らず、黒色以外の他の色で着色してもよい。第１遮光層４１を形成する方法としては、例えば、スクリーン印刷法、スパッタリング法、ＣＶＤ（Chemical Vapor Deposition）法、あるいは蒸着法が挙げられる。
【００２４】
第２遮光膜４２は、第１遮光膜４１と同様、タッチパネル４の第１主面４ａおよび第２主面４ｂと交差する方向に入射する光を遮光する役割を有する。第２遮光膜４２は、外側領域ＥＯに対応するタッチパネル４の第２主面４ｂ上に設けられている。本実施形態では、第１遮光膜４１が外側領域ＥＯの全部に設けられているのに対して、第２遮光膜４２は、外側領域ＥＯの一部分に設けられている。すなわち、第２遮光膜４２は、タッチパネル４の両方の短辺の近傍における外側領域ＥＯに２つ設けられている。なお、第２遮光膜４２の具体的な配置位置については後述する。
【００２５】
第２遮光膜４２の構成材料としては、第１遮光膜４１と同様のものが挙げられる。第２遮光膜４２の形成方法としては、第１遮光膜４１と同様のものが挙げられる。
【００２６】
なお、上記では、タッチパネル４の第１主面４ａ上に第１遮光膜４１が、タッチパネル４の第２主面４ｂ上に第２遮光膜４２が設けられている例について説明したが、これに限らない。すなわち、タッチパネル４の第１主面４ａ上に第２遮光膜４２が、タッチパネル４の第２主面４ｂ上に第１遮光膜４１が設けられていてもよい。
【００２７】
振動体５は、使用者による所定の入力操作を検知した場合に、タッチパネル４を湾曲振動させる役割を有する。具体的には、振動体５は、タッチパネル４の短辺方向に伸縮運動を繰り返すことにより、タッチパネル４の厚み方向（以下、当該方向を「上下方向」と称する）に、タッチパネル４を湾曲振動させる。なお、詳細は後述するように、振動体５は、タッチパネル４への押圧荷重を検出する役割も有している。振動体５は、外側領域ＥＯに対応するタッチパネル４の第２主面４ｂ上に設けられている。具体的には、振動体５は、後述する第２遮光膜４２上に、図示しない接着部材を介して設けられている。
【００２８】
本実施形態では、振動体５は、例えば、印加される電圧に基づいて伸縮運動を行う圧電素子であるが、これに限らない。振動体５として、圧電素子の代わりに、電磁式振動体、モータ等を用いてもよい。
【００２９】
本実施形態では、振動体５は、圧電素子であるので、次のような構成を有している。すなわち、振動体５の表面５ａには図示しない端子電極が設けられている。端子電極は、図示しない導電部材を介して第１フレキシブル基板１１と電気的に接続される。また、振動体５の内部には図示しない内部電極および活性層が設けられている。内部電極は、端子電極と電気的に接続される。また、内部電極および活性層はそれぞれ複数設けられており、内部電極および活性層は交互に設けられている。さらに、振動体５の内部には図示しない不活性層が設けられている。ここで、活性層は、分極処理された圧電材料から構成されている。また、不活性層は、分極処理されていない圧電材料、金属材料、絶縁材料から構成されている。
【００３０】
本実施形態では、図１に示すように、振動体５は、タッチパネル４の両方の短辺の近傍に、それぞれの短辺に沿って２つ設けられている。なお、振動体５の配置位置、個数等については、特に限定されない。例えば、振動体５は、タッチパネル４の両方の長辺の近傍に、それぞれの長辺に沿って２つ設けられていてもよいし、タッチパネル４の両方の長辺および短辺の近傍に、それぞれの長辺および短辺に沿って４つ設けられていてもよい。
【００３１】
配線基板６は、バックライト３の背面側に配置されており、制御回路、抵抗器、コンデンサ等を実装面６ａに実装し、その部品間を配線で接続することで電子回路を構成する板状またはフィルム状の基板である。配線基板６の実装面６ａに設けられた制御回路６１としては、例えば、タッチパネル４を制御するためのタッチパネルドライバ、振動体５を制御するための触覚伝達ドライバ、バックライト３を制御するためのバックライトドライバ、液晶パネル２を制御するための表示ドライバ等が挙げられる。なお、表示ドライバは、ＣＯＧ（Chip On Glass）により、液晶パネル２における上側基板２１よりも外側に突出
した下側基板２２上に設けられていてもよい。また、表示ドライバは、ＣＯＦ（Chip On Film）により、第２フレキシブル基板１２上に設けられていてもよい。
【００３２】
第１筐体７は、液晶パネル２、バックライト３、振動体５、および配線基板６を収容するための役割を有する。第１筐体７の構成材料としては、例えば、ポリカーボネート等の樹脂、あるいは、ステンレス、アルミニウム等の金属が挙げられる。
【００３３】
第１筐体７は、上側筐体７１および下側筐体７２を備えている。上側筐体７１は、接着部材８を介して外側領域ＥＯに対応するタッチパネル４と接着され、下側筐体７２は、接着部材８を介して上側筐体７１と接着される。接着部材８としては、両面テープ、アクリル系接着剤、シリコーン系接着剤、ゴム系接着剤、ウレタン系接着剤等が挙げられる。タッチパネル４、上側筐体７１、および下側筐体７２により、液晶パネル２、バックライト３、振動体５、および配線基板６が封止される。これにより、液晶パネル２、バックライト３、振動体５、および配線基板６は、外部から埃あるいは水が付着する可能性を低減することができる。
【００３４】
なお、上記では、第１筐体７として、上側筐体７１と下側筐体７２とで別個独立に構成した例について説明したが、これに限らない。例えば、上側筐体７１と下側筐体７２とを一体的に構成してもよい。
【００３５】
また、上記では、第１筐体７は、液晶パネル２、バックライト３、および振動体５とともに、配線基板６を収容している例について説明したが、これに限らない。第１筐体７は配線基板６を収容することなく、第１筐体７の外側に配線基板６を設ける構成を採用してもよい。
【００３６】
ここで、配線基板６の実装面６ａには、第１コネクタ６２および第２コネクタ６３が設けられている。第１コネクタ６２および第２コネクタ６３は、制御回路６１と電気的に接続される。
【００３７】
第１コネクタ６２には、第１フレキシブル基板１１が接続される。すなわち、第１フレキシブル基板１１は、振動体５の端子電極と電気的に接続された状態で、第１空間Ｓ１および第２空間Ｓ２を介して、表示パネル２の背面側、具体的には、配線基板６の背面側に折り曲げられ、第１コネクタ６２に接続される。なお、第２空間Ｓ２は、液晶パネル２およびバックライト３と上側筐体７１との間に存在する空間である。これにより、振動体５は、第１フレキシブル基板１１および第１コネクタ６２を介して、制御回路６１と電気的に接続される。
【００３８】
第２コネクタ６３には、第２フレキシブル基板１２が接続される。すなわち、第２フレキシブル基板１２は、液晶パネル２およびバックライト３の第１光源３１と電気的に接続された状態で、第２空間Ｓ２を介して、表示パネル２の背面側、具体的には、配線基板６の背面側に折り曲げられ、第２コネクタ６３に接続される。これにより、液晶パネル２およびバックライト３の第１光源３１は、第２フレキシブル基板１２および第２コネクタ６３を介して、制御回路６１と電気的に接続される。
【００３９】
なお、図２に示すように、上側筐体７１と第１フレキシブル基板１１とは、隙間を有していることが好ましい。上側筐体７１と第１フレキシブル基板１１とが接触していると、第１フレキシブル基板１１が上側筐体７１によって破損してしまう可能性があるからである。これと同様の理由から、上側筐体７１と第２フレキシブル基板１２とは、隙間を有していることが好ましい。
【００４０】
なお、上記では、２つのフレキシブル基板１１，１２を用いて上記の接続状態を実現した例について説明したが、これに限らない。１つのフレキシブル基板を用いて上記の接続状態を実現してもよいし、３つ以上のフレキシブル基板を用いて上記の接続状態を実現してもよい。
【００４１】
図２に示すように、タッチパネル４は、第１フレキシブル基板１１の一部と対向する部位に、第１遮光膜４１および第２遮光膜４２が設けられている。すなわち、タッチパネル
４は、第１フレキシブル基板１１の一部と対向する部位に、第１遮光膜４１だけでなく第２遮光膜４２も設けられているため、第１フレキシブル基板１１が使用者に視認されてしまう可能性を低減することができる。以下、具体的に説明する。
【００４２】
上述したように、タッチパネル４は、液晶パネル２よりも外側に張り出して構成されており、かつ液晶パネル２と第１空間Ｓ１を介して対向して配置されている。このため、バックライト３からの光は、液晶パネル２を介して、タッチパネル４の略全面を照射することになる。このため、第１空間Ｓ１に位置する第１フレキシブル基板１１が、液晶パネル２を介したバックライト３からの光により、タッチパネル４を介して使用者に視認されてしまう可能性があった。なお、図２では、第１空間Ｓ１に位置する第１フレキシブル基板１１における第１部位を、符号「１１ａ」として表している。
【００４３】
これに対して、本実施形態では、タッチパネル４は、第１空間Ｓ１に位置する第１フレキシブル基板１１における第１部位１１ａと対向する部位に、第１遮光膜４１および第２遮光膜４２が設けられている。すなわち、タッチパネル４は、第１フレキシブル基板１１における第１部位１１ａと対向する部位に、第１遮光膜４１だけでなく第２遮光膜４２も設けられていることになる。このため、液晶パネル２を介したバックライト３からの光により、第１フレキシブル基板１１における第１部位１１ａが、タッチパネル４を介して使用者に視認されてしまう可能性を低減することができる。
【００４４】
また、入力機能付き表示装置Ｘ１が例えばスマートフォンのような携帯端末に備えられた場合、入力機能付き表示装置Ｘ１の外側領域ＥＯを例えばイルミネーションにて表示させることが行われている。この場合、図３に示すように、第２空間Ｓ２と対応する下側筐体７２の上面に、第２光源９が設けられることになる。すなわち、第２光源９が発光することで、第２空間Ｓ２を介してタッチパネル４の外側領域ＥＯをイルミネーションにて表示させることが可能となる。なお、第２光源９は、例えば、ＬＥＤから構成される。
【００４５】
図３に示す入力機能付き表示装置Ｘ１では、第２光源９からの光は、第２空間Ｓ２を介してタッチパネル４の外側領域ＥＯを照射することになる。このため、第２空間Ｓ２に位置する第１フレキシブル基板１１が、第２空間Ｓ２を介した第２光源９からの光により、タッチパネル４を介して使用者に視認されてしまう可能性があった。なお、図２および図３では、第２空間Ｓ２に位置する第１フレキシブル基板１１における第２部位を、符号「１１ｂ」として表している。
【００４６】
これに対して、本実施形態では、タッチパネル４は、第２空間Ｓ１に位置する第１フレキシブル基板１１における第２部位１１ｂと対向する部位に、第１遮光膜４１および第２遮光膜４２が設けられている。すなわち、タッチパネル４は、第１フレキシブル基板１１における第２部位１１ｂと対向する部位に、第１遮光膜４１だけでなく第２遮光膜４２も設けられていることになる。このため、第２空間Ｓ２を介した第２光源９からの光により、第１フレキシブル基板１１における第２部位１１ｂが、タッチパネル４を介して使用者に視認されてしまう可能性を低減することができる。
【００４７】
なお、液晶パネル２から漏れ出た光が、下側筐体７２の上面で反射され、この反射された光が、第２空間Ｓ２を介してタッチパネル４を照射する可能性がある。このため、図２に示す入力機能付き表示装置Ｘ１においても、第１フレキシブル基板１１における第２部位１１ｂと対向する部位に第１遮光膜４１および第２遮光膜４２が設けられていると、図３に示す入力機能付き表示装置Ｘ１において説明したのと同様の効果を奏する。
【００４８】
なお、第１フレキシブル基板１１が使用者に視認されてしまう可能性をより低減するために、第１フレキシブル基板１１の表面に第４遮光膜を設けてもよい。
【００４９】
また、図２に示すように、タッチパネル４は、第１フレキシブル基板１１だけでなく、振動体５と対向する部位にも、第１遮光膜４１および第２遮光膜４２が設けられていることが好ましい。このように構成すると、第１フレキシブル基板１１が使用者に視認されてしまう可能性を低減することができるとともに、振動体５が使用者に視認されてしまう可能性をも低減することができる。
【００５０】
なお、振動体５が使用者に視認されてしまう可能性をより低減するために、振動体５の表面５ａに第３遮光膜を設けてもよい。
【００５１】
また、本実施形態では、図２に示すように、第２空間Ｓ２を覆うように第１遮光膜４１および第２遮光膜４２がタッチパネル４に設けられているため、第１フレキシブル基板１１だけでなく第２フレキシブル基板１２も、タッチパネル４を介して使用者に視認されてしまう可能性を低減することができる。
【００５２】
また、第１遮光膜４１の透過率が、第２遮光膜４２の透過率よりも大きい場合に、第１フレキシブル基板１１が使用者に視認されてしまう可能性を効果的に低減することができる。例えば、第１遮光膜４１を白色にて形成するとともに、第２遮光膜４２を黒色にて形成する場合等である。第１遮光膜４１を白色にて形成しているため、第１遮光膜４１だけでは第１フレキシブル基板１１が使用者に視認されてしまう可能性が高くなるが、黒色にて形成された第２遮光膜４２を設けているため、第２遮光膜４２によって第１フレキシブル基板１１が使用者に視認されてしまう可能性を低減することができる。
【００５３】
なお、第１遮光膜４１および第２遮光膜４２の透過率は、公知の分光光度計を用いることで計測することができる。
【００５４】
次に、入力機能付き表示装置Ｘ１の動作例について、図４を参照しながら説明する。
【００５５】
なお、以下では、触覚伝達のうち使用者に対して押圧感を伝達する場合の入力機能付き表示装置Ｘ１の動作例について説明するが、入力機能付き表示装置Ｘ１は、押圧感以外の、例えば、なぞり感、肌触り感等の様々な触感を伝達する場合にも適用できることは勿論である。
【００５６】
図４に示すように、使用者が、タッチパネル４の第１主面４ａを押圧した場合に、振動体５は、タッチパネル４への押圧荷重を検出する（Ｏｐ１）。ここで、振動体５の荷重検出機能について説明する。すなわち、使用者が、タッチパネル４の第１主面４ａを押圧すると、タッチパネル４が下方向に湾曲する。タッチパネル４が下方向に湾曲すると、振動体５も下方向に湾曲する。つまり、タッチパネル４への押圧荷重に応じて、振動体５の湾曲量が変移する。本実施形態では、振動体５は、圧電素子であるので、湾曲量に応じた電圧に変換することができる。この結果、振動体５によりタッチパネル４への押圧荷重を検出することができる。なお、上記では、荷重検出機能を振動体５で実現している例について説明したが、これに限らず、例えば、歪みセンサ等の荷重センサによって実現してもよい。
【００５７】
そして、制御回路６１は、使用者による入力操作が、表示画面に表示された入力オブジェクトに対する押圧操作である場合に、Ｏｐ１にて検出された押圧荷重が閾値以上であるか否かを判定する（Ｏｐ２）。
【００５８】
そして、制御回路６１は、Ｏｐ１にて検出された押圧荷重が閾値以上であると判定すれば（Ｏｐ２にてＹＥＳ）、振動体５をタッチパネル４の短辺方向に伸縮運動させる（Ｏｐ
３）。そして、Ｏｐ３にて伸縮運動された振動体５によりタッチパネル４が上下方向に湾曲振動する（Ｏｐ４）。これにより、タッチパネル４の第１主面４ａを押圧した使用者に対して押圧感が伝達される。一方、触覚伝達ドライバは、Ｏｐ１にて検出された押圧荷重が閾値未満であると判定すれば（Ｏｐ２にてＮＯ）、図４の処理を終了する。
【００５９】
以上のように、入力機能付き表示装置Ｘ１では、振動体５に接続された第１フレキシブル基板１１が使用者に視認されてしまう可能性を低減することができる。
【００６０】
次に、上記の入力機能付き表示装置Ｘ１を備えた携帯端末Ｐ１について、図５を参照しながら説明する。
【００６１】
図５は、本実施形態に係る携帯端末Ｐ１の概略構成を示す斜視図である。図５に示すように、携帯端末Ｐ１は、例えば、携帯電話、スマートフォン、ＰＤＡ（Personal Digital
Assistant）等の電子機器であって、上記の入力機能付き表示装置Ｘ１と、音声入力部１０１と、音声出力部１０２と、キー入力部１０３と、第２筐体１０４とを備えている。
【００６２】
音声入力部１０１は、例えば、マイク等により構成されており、使用者の音声等が入力される。音声出力部１０２は、スピーカ等により構成されており、相手方からの音声等が出力される。キー入力部１０３は、例えば、機械的なキーにより構成される。なお、キー入力部１０３は、表示画面に表示された操作キーであってもよい。第２筐体１０４は、入力機能付き表示装置Ｘ１、音声入力部１０１、音声出力部１０２、およびキー入力部１０３を収容する役割を有する。
【００６３】
他にも、携帯端末Ｐ１は、必要な機能に応じて、デジタルカメラ機能部、ワンセグ放送用チューナ、赤外線通信機能部等の近距離無線通信部、および各種インタフェース等を備える場合もあるが、これらの詳細についての図示および説明は省略する。
【００６４】
携帯端末Ｐ１は、入力機能付き表示装置Ｘ１を備えているので、振動体５に接続された第１フレキシブル基板１１が使用者に視認されてしまう可能性を低減することができる。
【００６５】
なお、上記では、携帯端末Ｐ１に音声入力部１０１を備えている例について説明したが、これに限らない。すなわち、携帯端末Ｐ１には音声入力部１０１は備えられていなくともよい。
【００６６】
また、上記では、携帯端末Ｐ１は、入力機能付き表示装置Ｘ１を収容する第２筐体１０４を備えている例について説明したが、これに限らない。第２筐体１０４を別個独立に設けることなく、入力機能付き表示装置Ｘ１における第１筐体７が携帯端末Ｐ１の筐体となる構成であってもよい。
【００６７】
また、入力機能付き表示装置Ｘ１は、上記の携帯端末Ｐ１の代わりに、産業用途で使用される表示器、車載用途で使用される表示器、電子手帳、パーソナルコンピュータ、複写機、ゲーム用の端末装置、テレビ、デジタルカメラ等の様々な電子機器に備えられていてもよい。
【００６８】
また、上記では、入力機能付き表示装置Ｘ１を触覚伝達技術に適用した例について説明したが、これに限らない。本発明は、触覚伝達技術以外に、例えば、タッチパネル４を振動させて音を聴くことができる骨伝導技術にも適用することが可能である。骨伝導技術のうち、軟骨伝導技術にも適用することができることは勿論である。ここで、軟骨伝導とは、音声信号を振動に変えて、外耳の軟骨に伝え、その奥の骨を経由して内耳を刺激し、聴神経に伝達させることをいう。
【符号の説明】
【００６９】
Ｘ１  入力機能付き表示装置
Ｐ１  携帯端末（電子機器）
２  液晶パネル（表示部）
４  タッチパネル（入力部）
５  振動体
７  第１筐体（筐体）
７１  上側筐体
７２  下側筐体
１１  第１フレキシブル基板（フレキシブル基板）
４１  第１遮光膜
４２  第２遮光膜
【図２】
0005848189.tif 000002
【図３】
0005848189.tif 000003
【図４】
0005848189.tif 000004
【図５】
0005848189.tif 000005
【図１】
0005848189.tif 000006